(57)【特許請求の範囲】
【請求項１】
光加入者線端局装置と光加入者線終端装置との間で、複数の帯域割当単位を適用した動的帯域割り当てが行われるＡＰＯＮ（ＡＴＭ−ＰＯＮ、ＡＴＭ  ｂａｓｅｄ  Ｐａｓｓｉｖｅ  Ｏｐｔｉｃａｌ  Ｎｅｔｗｏｒｋ）システムにおける光加入者線終端装置であって、
アプリケーションフローと前記帯域割当単位との対応付けを保存するマッピングテーブルと、
前記マッピングテーブルに基づいて、入力されるアプリケーションフローと前記帯域割当単位のタイプ別に配置されたバッファとを対応付けるインターワーキング機能部と、
前記帯域割当単位のタイプ別にバッファを配置し、前記アプリケーションフローを、前記インターワーキング機能部により対応付けられたタイプの帯域割当単位バッファにバッファリングして送信処理を行う帯域割当単位バッファ制御部と、
前記アプリケーションフローをＶＣ（Ｖｉｒｔｕａｌ  Ｃｈａｎｎｅｌ）コネクション毎に調整するトラヒック調整機構部と、を備え、
前記トラヒック調整機構部を前記インターワーキング機能部の後段に配置することを特徴とする光加入者線終端装置。
【請求項２】
光加入者線端局装置と光加入者線終端装置との間で、複数の帯域割当単位を適用した動的帯域割り当てが行われるＡＰＯＮ（ＡＴＭ−ＰＯＮ、ＡＴＭ  ｂａｓｅｄ  Ｐａｓｓｉｖｅ  Ｏｐｔｉｃａｌ  Ｎｅｔｗｏｒｋ）システムにおけるユーザトラヒック収容方法であって、
アプリケーションフローと前記帯域割当単位との対応付けを保存し、
前記保存された対応付けに基づいて、入力されるアプリケーションフローと前記帯域割当単位のタイプ別に配置されたバッファとを対応付け、
前記アプリケーションフローをＶＣ（Ｖｉｒｔｕａｌ  Ｃｈａｎｎｅｌ）コネクション毎に調整し、
前記アプリケーションフローを、前記対応付けられたタイプの帯域割当単位バッファにバッファリングして送信処理を行うことを特徴とするユーザトラヒック収容方法。
【発明の詳細な説明】
【０００１】
【発明の属する技術分野】
この発明は、ＡＰＯＮ（ATM-PON, ATM based Passive Optical Network）システムにおいて、ユーザからのアプリケーションフローのＱｏＳ（Quality Of Service）及びＣｏＳ（Class Of Service）を実現する光加入者線終端装置及びユーザトラヒック収容方法に関するものである。
【０００２】
【従来の技術】
ＡＰＯＮシステムは、光ファイバ及び光スプリッタにより、１つの局側インタフェースが複数の加入者を収容でき、高速・経済的な加入者系を実現する。ＡＰＯＮにおける必要な技術としてＤＢＡ（Dynamic Bandwidth Assignment＝動的帯域割り当て）と呼ばれるメディアアクセス制御があり、ＤＢＡはユーザのトラヒック状態に応じてユーザ間のリソース（帯域）を動的に割り当てる制御方式である。
【０００３】
図１４はＡＰＯＮシステムの構成例を示す説明図である。図１４において、ＯＬＴ（Optical Line Terminal＝光加入者線端局装置）１００２からＯＮＴ（Optical Network Terminal＝光加入者線終端装置）１０１１〜１０ｎ１へ流れるトラヒック（下りトラヒック）は光スプリッタ１００３にて各ＯＮＴ１０１１〜１０ｎ１へ同報通知され、各ＯＮＴ１０１１〜１０ｎ１は自ＯＮＴ宛トラヒックをＯＮＴ内部に取り込む。一方、ＯＮＴ１０１１〜１０ｎ１からＯＬＴ１００２へ流れるトラヒック（上りトラヒック）は、ＯＬＴ１００２からのグラント（送信許可信号）に一対一に対応しており、１グラントに対し１セル送信可能である。つまりグラントが上りトラヒックの帯域を司っている。この際、ＤＢＡでは各ＯＮＴの輻輳状態に応じて、グラントの発生を動的に変更している。
【０００４】
例えば、帯域割当単位（T-CONT＝Traffic CONTainer）をＯＮＴ毎に割り当てる場合、ＯＮＴ１０１１〜１０ｎ１内の上りトラヒックの輻輳状態に応じてグラント発生頻度を変更することにより、該当ＯＮＴに対する割り当て帯域を変更し、ＡＰＯＮ区間における帯域負荷の適正化を図る。
【０００５】
文献“ＩＴＵ−Ｔ  Ｄｒａｆｔ  Ｒｅｃｏｍｍｅｎｄａｔｉｏｎ  Ｇ．９８３．４”には、複数Ｔ−ＣＯＮＴを適用する場合におけるＡＰＯＮシステムのことが記述されており、Ｔ−ＣＯＮＴのタイプがトラヒックの特徴別に分類され、各タイプ別に固定または動的帯域割当において満足するべき条件が規定されている。ＯＬＴがこの条件を満足するような帯域割当を行うことにより、ＱｏＳ及びＣｏＳを保証する。
【０００６】
以下に規定されているＴ−ＣＯＮＴタイプとそれぞれの特徴を示す。
タイプ１：トラヒック流量によらず常時固定帯域割当かつ等間隔なグラント配置
タイプ２：トラヒック流量によらず通信時に固定帯域割当
タイプ３：トラヒック流量により、最低保証帯域から最大割当帯域までの範囲で動的帯域割当かつ上記最低保証帯域に基づいた余剰帯域配分を約束
タイプ４：トラヒック流量により、最大割当帯域まで動的にかつ余剰帯域配分の約束なし
タイプ５：タイプ１〜タイプ４までの全ての特徴を包含（設計者側に自由度を与えている）
【０００７】
【発明が解決しようとする課題】
図１５に示すように、従来のＡＰＯＮシステムの光加入者線終端装置では上記タイプ３のみを用いた単一のＴ−ＣＯＮＴによるＤＢＡが一般的に適用されていた。このような従来の光加入者線終端装置では、ＯＮＴ１１１〜１ｎ１内部ではＡＴＭレベルの様々な形態のトラヒックを収容するために、セルスケジューリング機能１００５を搭載していたが、Ｈ／Ｗの複雑化、処理の低速化、スケジューリング特有の遅延ゆらぎ発生、高優先度のトラヒックが大量に流入した場合に低優先度トラヒックが締め出されるなどの問題があった。また、ユーザからのアプリケーションフローレベルにおける様々な形態のトラヒックを収容するために、さらにセルスケジューリング機能が複雑となるという問題があった。
【０００８】
この発明は、上記のような問題点を解決するためになされたもので、複数個の帯域割当単位（Ｔ−ＣＯＮＴ）を使用できるＡＰＯＮシステムにおいて、帯域リソースを効率良く利用でき、さらにユーザからのアプリケーションフローのＱｏＳ及びＣｏＳを実現する光加入者線終端装置及びユーザトラヒック収容方法を提供することを目的とする。
【０００９】
【課題を解決するための手段】
この発明に係る光加入者線終端装置は、光加入者線端局装置と光加入者線終端装置との間で、複数の帯域割当単位を適用した動的帯域割り当てが行われるＡＰＯＮ（ＡＴＭ−ＰＯＮ、ＡＴＭ  ｂａｓｅｄ  Ｐａｓｓｉｖｅ  Ｏｐｔｉｃａｌ  Ｎｅｔｗｏｒｋ）システムにおける光加入者線終端装置であって、アプリケーションフローと前記帯域割当単位との対応付けを保存するマッピングテーブルと、前記マッピングテーブルに基づいて、入力されるアプリケーションフローと前記帯域割当単位のタイプ別に配置されたバッファとを対応付けるインターワーキング機能部と、前記帯域割当単位のタイプ別にバッファを配置し、前記アプリケーションフローを、前記インターワーキング機能部により対応付けられたタイプの帯域割当単位バッファにバッファリングして送信処理を行う帯域割当単位バッファ制御部と、前記アプリケーションフローをＶＣ（Ｖｉｒｔｕａｌ  Ｃｈａｎｎｅｌ）コネクション毎に調整するトラヒック調整機構部と、を備え、前記トラヒック調整機構部を前記インターワーキング機能部の後段に配置するものである。
【００１５】
この発明に係るユーザトラヒック収容方法は、光加入者線端局装置と光加入者線終端装置との間で、複数の帯域割当単位を適用した動的帯域割り当てが行われるＡＰＯＮ（ＡＴＭ−ＰＯＮ、ＡＴＭ  ｂａｓｅｄ  Ｐａｓｓｉｖｅ  Ｏｐｔｉｃａｌ  Ｎｅｔｗｏｒｋ）システムにおけるユーザトラヒック収容方法であって、アプリケーションフローと前記帯域割当単位との対応付けを保存し、前記保存された対応付けに基づいて、入力されるアプリケーションフローと前記帯域割当単位のタイプ別に配置されたバッファとを対応付け、前記アプリケーションフローをＶＣ（Ｖｉｒｔｕａｌ  Ｃｈａｎｎｅｌ）コネクション毎に調整し、前記アプリケーションフローを、前記対応付けられたタイプの帯域割当単位バッファにバッファリングして送信処理を行うものである。
【００１６】
【発明の実施の形態】
実施の形態１．
図１は、本実施の形態１における光加入者線終端装置の構成を示す説明図である。図１において、１は光加入者線終端装置であるＯＮＴ、２は帯域割当単位（Ｔ−ＣＯＮＴ）をトラヒックタイプ毎に配置した帯域割当単位バッファ制御部としてのＴ−ＣＯＮＴバッファ制御部、３はユーザから送信されたアプリケーションフローのトラヒックを適切に調整するトラヒック調整機構、４はアプリケーションフローとＴ−ＣＯＮＴバッファとの対応付けを保存するフロー・Ｔ−ＣＯＮＴ対応マッピングテーブル、５はユーザから送信されたアプリケーションフローとＡＴＭコネクションとを結び付けるインタフェースであり、フロー・Ｔ−ＣＯＮＴ対応マッピングテーブル４を用いてアプリケーションフローとＴ−ＣＯＮＴバッファとの対応付けを行うインターワーキング機能、６はセルスイッチングを行うスイッチ部であり、７はユーザから送信されるアプリケーションフローである。
【００１７】
ユーザから送信されたアプリケーションフローをインターワーキング機能４により、上記フロー中の識別情報とＴ−ＣＯＮＴバッファとを対応付けることで、ユーザトラヒックの差別化収容を図る。
なお、本発明に係るＡＰＯＮシステムの構成は、図１５と同様に、光ファイバ及び光スプリッタにより、１つの光加入者線端局装置が複数の光加入者線終端装置を収容するものとする。
【００１８】
各機能について以下に説明する。
アプリケーションフローの宛先アドレスとＡＴＭコネクション識別子との対応テーブルとしてフロー・ＡＴＭコネクション対応テーブル（図示せず）を、上記フローのＱｏＳ及びＣｏＳ識別情報とＴ−ＣＯＮＴバッファとの対応テーブルとしてフロー・Ｔ−ＣＯＮＴ対応マッピングテーブル５を予め設定する。
図２は、上記フローのＱｏＳ及びＣｏＳ識別情報とＴ−ＣＯＮＴバッファとの対応テーブル（フロー・Ｔ−ＣＯＮＴ対応マッピングテーブル５）の対応例を示す説明図である。図２の例では、ベストエフォート等を優先度１〜４とし、タイプ４に対応するＴ−ＣＯＮＴバッファ番号４に対応させる。そして、ビデオ型、ボイス型、ネットワーク制御をそれぞれ優先度５、６、７とし、タイプ１に対応するＴ−ＣＯＮＴバッファ番号１に対応させる。
なお、図示しない外部の運用管理装置からの設定指示により上記のような対応や情報を固定的に設定してもよいし、ＲＳＶＰ（Ｒｅｓｏｕｒｃｅ  Ｒｅｓｅｒｖａｔｉｏｎ  Ｐｒｏｔｏｃｏｌ）のような何らかのコネクション設定を要求するプロトコルを用いて必要な情報をＯＮＴ１に通知することにより上記対応や情報を動的に設定してもよい。
また、図２では優先度を用いて識別する例について説明したが、フローを識別できる情報であればこれに限られない。
【００１９】
次に図１において、インターワーキング機能４は、フロー識別機能４１、対応Ｔ−ＣＯＮＴ検索機能４２、セル化・デセル化機能４３を有する。
【００２０】
上記インターワーキング機能４のフロー識別機能４１は、アプリケーションフローのデータ中、予め指定されたＱｏＳ及びＣｏＳ識別方法（上記フローデータがどのレイヤのデータか、かつそのデータ中のどの場所を見るかを判断する方法）でその情報を抽出し、上記フローが指定したＱｏＳ及びＣｏＳを把握する。
図３は、各レイヤでの識別情報例を示す説明図であり、様々な識別情報が考えられる。例えば、図３のような情報等に基づいてフローの識別を行う。
【００２１】
上記インターワーキング機能４の対応Ｔ−ＣＯＮＴ検索機能４２は、上記フロー識別機能４１により抽出されたフロー識別情報をキーにして、対応するＴ−ＣＯＮＴバッファを上記フロー・Ｔ−ＣＯＮＴ対応マッピングテーブル５から検索する。
【００２２】
上記インターワーキング機能４のセル・デセル化機能４３は、各アプリケーションフローのデータにＡＡＬヘッダを追加して、４８バイトセルに分割し各セルにＡＴＭヘッダを追加する。または、その逆の変換を行う。
【００２３】
次に、図１におけるトラヒック調整機構３は、インターワーキング機能４の後に配置され、各アプリケーションフローの入力トラヒックを調整する。シェーピングまたは入力レートチェックによるセル通過及び廃棄及びタギングによりセルレベルで入力トラヒック調整を行う。３１−１〜３１−ｎはＶＣ毎に配置されたトラヒック調整器であり、３２−１〜３２−ｎはＶＣ毎に配置されたキューである。
【００２４】
更に、図１におけるスイッチ部６は、トラヒック調整機構３によりトラヒックの調整がなされたセルに対して、上記対応Ｔ−ＣＯＮＴ検索機能４２による検索から得られたＴ−ＣＯＮＴバッファ番号に基づいて、バッファ番号をチェックしてスイッチングを行い、Ｔ−ＣＯＮＴバッファにバッファリングする。
【００２５】
そして、図１のＴ−ＣＯＮＴバッファ制御部２において、２１−１はＴ−ＣＯＮＴタイプ１専用のバッファで、上記のような流れでセルをバッファリングする。タイプ１用のグラントがＯＮＴ１に到着すると、自分宛のグラントである場合、そのバッファからセルを送信する。このとき、タイプ１専用バッファ２２−１が収容するトラヒックは、上記対応Ｔ−ＣＯＮＴ検索機能４２による検索から得られたＴ−ＣＯＮＴバッファ番号に基づくリアルタイム系トラヒックであり、遅延保証、ゆらぎ保証を考慮したグラント配置、さらに帯域を保証するための固定グラント割当が行われている。
また、図１のＴ−ＣＯＮＴバッファ制御部２において、２１−４はＴ−ＣＯＮＴタイプ４専用のバッファで、上記のような流れでセルをバッファリングする。タイプ４用のグラントがＯＮＴ１に到着すると、自分宛のグラントである場合、そのバッファからセルを送信する。このとき、タイプ４専用バッファ２１−４が収容するトラヒックは、上記対応Ｔ−ＣＯＮＴ検索機能４２による検索から得られたＴ−ＣＯＮＴバッファ番号に基づく非リアルタイム系トラヒックであり、ベストエフォートのように余剰帯域に従った動的グラント割当が行われている。ユーザトラヒックは、上記２つのバッファに収容される。
【００２６】
図４は、以上のようなユーザから送信されたアプリケーションフローのＴ−ＣＯＮＴバッファまでの流れを示したフローである。
まず、ユーザからのアプリケーションフローがＯＮＴ１に到着する（ステップＳ１）。
次に、インターワーキング機能４で以下の処理を行う。フロー識別機能４１は、フローのＱｏＳ及びＣｏＳ識別情報を抽出する。対応Ｔ−ＣＯＮＴ検索機能４２は、識別情報抽出後、対応するＴ−ＣＯＮＴバッファを検索する。セル化・デセル化機能４３は、セル化を行う（ステップＳ２）。
次に、トラヒック調整機構３はトラヒック調整を行う（ステップＳ３）。
次に、スイッチ部６はスイッチングを行う（ステップＳ４）。
そして、Ｔ−ＣＯＮＴバッファ制御部２はセルをバッファリングする（ステップＳ５）。
この結果、ＯＬＴから与えられるＴ−ＣＯＮＴ毎のグラント割当により、帯域割当タイプに従ったＴ−ＣＯＮＴバッファからセルがＯＬＴへ送信される（ステップＳ６）。
【００２７】
以上のように、本発明の光加入者線終端装置は、ユーザが送信したアプリケーションフローからＱｏＳ及びＣｏＳ識別情報を抽出し、その情報と対応付けられたＴ−ＣＯＮＴバッファで上記アプリケーションフローを処理することにより、ユーザトラヒックの差別化収容を図ることができる。
【００２８】
実施の形態２．
上記実施の形態１では、Ｔ−ＣＯＮＴバッファ制御部２でＴ−ＣＯＮＴタイプ１及びタイプ４を配置してユーザトラヒックを差別化収容する場合について説明したが、本実施の形態２では、Ｔ−ＣＯＮＴバッファ制御部２に、タイプ１及びタイプ４に加え、タイプ３を追加配置する場合について説明する。
【００２９】
図５は、本実施の形態２におけるＴ−ＣＯＮＴバッファ制御部２の構成を示す説明図である。図５において、２１−１、２１−３、２１−４は、それぞれＴ−ＣＯＮＴタイプ１専用バッファ、Ｔ−ＣＯＮＴタイプ３専用バッファ、Ｔ−ＣＯＮＴタイプ４専用バッファである。Ｔ−ＣＯＮＴタイプ１専用バッファ２１−１は、リアルタイム系トラヒック、例えば音声、ビデオ、回線エミュレーション等の遅延保証かつゆらぎ保証かつ帯域保証を行いたいデータを収容する。Ｔ−ＣＯＮＴタイプ３専用バッファ２１−３は、非リアルタイム系トラヒック、例えばエクセレントエフォート（ベストエフォートより高優先度）のデータ等を収容する。Ｔ−ＣＯＮＴタイプ４専用バッファ２１−４は、非リアルタイム系トラヒック、例えばベストエフォートのデータ等を収容する。その他の構成及び動作については、上記実施の形態１と同様である。
【００３０】
このように、Ｔ−ＣＯＮＴタイプ３専用バッファ２１−３を追加配置することにより、非リアルタイム系トラヒックのよりきめ細やかな差別化収容を図ることができ、Ｔ−ＣＯＮＴタイプ３専用バッファ２１−３には、最低帯域を保証しつつ余剰帯域に従った動的グラント割当がＯＬＴにより行われる。
【００３１】
実施の形態３．
上記実施の形態１では、Ｔ−ＣＯＮＴバッファ制御部２でＴ−ＣＯＮＴタイプ１及びタイプ４を配置してユーザトラヒックを差別化収容する場合について説明したが、本実施の形態３では、Ｔ−ＣＯＮＴバッファ制御部２に、タイプ１及びタイプ４に加え、タイプ２を追加配置する場合について説明する。
【００３２】
図６は、本実施の形態３におけるＴ−ＣＯＮＴバッファ制御部２の構成を示す説明図である。図６において、２１−１、２１−２、２１−４は、それぞれＴ−ＣＯＮＴタイプ１専用バッファ、Ｔ−ＣＯＮＴタイプ２専用バッファ、Ｔ−ＣＯＮＴタイプ４専用バッファである。Ｔ−ＣＯＮＴタイプ１専用バッファ２１−１は、リアルタイム系トラヒック、例えば音声、回線エミュレーション等の遅延保証かつゆらぎ保証かつ帯域保証を行いたいデータを収容する。Ｔ−ＣＯＮＴタイプ２専用バッファ２１−２は、リアルタイム系トラヒック、例えばビデオ等の遅延保証かつ帯域保証を行いたいデータを収容する。Ｔ−ＣＯＮＴタイプ４専用バッファ２１−４は、非リアルタイム系トラヒック、例えばベストエフォートのデータ等を収容する。その他の構成及び動作については、上記実施の形態１と同様である。
【００３３】
このように、Ｔ−ＣＯＮＴタイプ２専用バッファ２１−２を追加配置することにより、リアルタイム系トラヒックのよりきめ細やかな差別化収容を図ることができ、Ｔ−ＣＯＮＴタイプ２専用バッファ２１−２には、通信時に帯域保証を行うためのグラント割当がＯＬＴにより行われる。
【００３４】
実施の形態４．
上記実施の形態１では、Ｔ−ＣＯＮＴバッファ制御部２でＴ−ＣＯＮＴタイプ１及びタイプ４を配置してユーザトラヒックを差別化収容する場合について説明したが、本実施の形態４では、Ｔ−ＣＯＮＴバッファ制御部２に、タイプ１及びタイプ４に加え、タイプ２及びタイプ３を追加配置する場合について説明する。
【００３５】
図７は、本実施の形態４におけるＴ−ＣＯＮＴバッファ制御部２の構成を示す説明図である。図７において、２１−１、２１−２、２１−３、２１−４は、それぞれＴ−ＣＯＮＴタイプ１専用バッファ、Ｔ−ＣＯＮＴタイプ２専用バッファ、Ｔ−ＣＯＮＴタイプ３専用バッファ、Ｔ−ＣＯＮＴタイプ４専用バッファである。Ｔ−ＣＯＮＴタイプ１専用バッファ２１−１は、リアルタイム系トラヒック、例えば音声、回線エミュレーション等の遅延保証かつゆらぎ保証かつ帯域保証を行いたいデータを収容する。Ｔ−ＣＯＮＴタイプ２専用バッファ２１−２は、リアルタイム系トラヒック、例えばビデオ等の遅延保証かつ帯域保証を行いたいデータを収容する。Ｔ−ＣＯＮＴタイプ３専用バッファ２１−３は、非リアルタイム系トラヒック、例えばエクセレントエフォート（ベストエフォートより高優先度）のデータ等を収容する。Ｔ−ＣＯＮＴタイプ４専用バッファ２１−４は、非リアルタイム系トラヒック、例えばベストエフォートのデータ等を収容する。その他の構成及び動作については、上記実施の形態１と同様である。
【００３６】
このように、Ｔ−ＣＯＮＴタイプ２専用バッファ２１−２及びＴ−ＣＯＮＴタイプ３専用バッファ２１−３を追加配置することにより、リアルタイム系及び非リアルタイム系トラヒックのよりきめ細やかな差別化収容を図ることができる。
【００３７】
実施の形態５．
上記実施の形態１では、Ｔ−ＣＯＮＴバッファ制御部２でＴ−ＣＯＮＴタイプ１及びタイプ４を配置してユーザトラヒックを差別化収容する場合について説明したが、本実施の形態２では、Ｔ−ＣＯＮＴバッファ制御部２に、タイプ１及びタイプ４に加え、タイプ２及びタイプ３及びタイプ５を追加配置する場合について説明する。
【００３８】
図８は、本実施の形態５におけるＴ−ＣＯＮＴバッファ制御部２の構成を示す説明図である。図８において、２１−１、２１−２、２１−３、２１−４、２１−５は、それぞれＴ−ＣＯＮＴタイプ１専用バッファ、Ｔ−ＣＯＮＴタイプ２専用バッファ、Ｔ−ＣＯＮＴタイプ３専用バッファ、Ｔ−ＣＯＮＴタイプ４専用バッファ、Ｔ−ＣＯＮＴタイプ５専用バッファである。Ｔ−ＣＯＮＴタイプ１専用バッファ２１−１は、リアルタイム系トラヒック、例えば音声、回線エミュレーション等の遅延保証かつゆらぎ保証かつ帯域保証を行いたいデータを収容する。Ｔ−ＣＯＮＴタイプ２専用バッファ２１−２は、リアルタイム系トラヒック、例えばビデオ等の遅延保証かつ帯域保証を行いたいデータを収容する。Ｔ−ＣＯＮＴタイプ３専用バッファ２１−３は、非リアルタイム系トラヒック、例えばエクセレントエフォート（ベストエフォートより高優先度）のデータ等を収容する。Ｔ−ＣＯＮＴタイプ４専用バッファ２１−４は、非リアルタイム系トラヒック、例えばベストエフォートのデータ等を収容する。Ｔ−ＣＯＮＴタイプ５専用バッファ２１−５は、タイプ１からタイプ４までの帯域種別を設計者の要求に応じてリアルタイム系でも非リアルタイム系でも自由に決めることができる。その他の構成及び動作については、上記実施の形態１と同様である。
【００３９】
このように、Ｔ−ＣＯＮＴタイプ２専用バッファ２１−２及びＴ−ＣＯＮＴタイプ３専用バッファ２１−３及びＴ−ＣＯＮＴタイプ５専用バッファ２１−５を追加配置することにより、リアルタイム系及び非リアルタイム系トラヒックのよりきめ細やかな差別化収容を図ることができ、かつ、より設計者の要求に応じたよりきめ細やかな差別化収容を図ることができる。
【００４０】
実施の形態６．
上記実施の形態１では、トラヒック調整機構３をＶＣ毎に配置する場合について説明したが、本実施の形態６では、ＶＰ毎に配置する場合について説明する。
【００４１】
図９は、本実施の形態６における光加入者線終端装置の構成を示す説明図である。図９において、３３−１〜３３−ｎはＶＰ毎に配置されたトラヒック調整器であり、３４−１〜３４−ｎはＶＰ毎に配置されたキューである。その他の構成及び動作については、上記実施の形態１と同様である。
【００４２】
このように、トラヒック調整機構３をＶＰ毎に配置することにより、ＶＣ毎に配置する場合と比較してトラヒック調整器を削減することができる。
【００４３】
実施の形態７．
上記実施の形態１では、トラヒック調整機構３をＶＣ毎に配置する場合について説明したが、本実施の形態７では、Ｔ−ＣＯＮＴ毎に配置する場合について説明する。
【００４４】
図１０は、本実施の形態７における光加入者線終端装置の構成を示す説明図である。図１０において、３５−１〜３５−ｎはＶＰ毎に配置されたトラヒック調整器であり、３６−１〜３６−ｎはＴ−ＣＯＮＴ毎に配置されたキューである。その他の構成及び動作については、上記実施の形態１と同様である。
【００４５】
このように、トラヒック調整機構３をＴ−ＣＯＮＴ毎に配置することにより、ＶＣ毎或いはＶＰ毎に配置する場合と比較してトラヒック調整器を削減することができる。
【００４６】
実施の形態８．
上記実施の形態１では、トラヒック調整機構３をインターワーキング機能４の後段に配置する場合について説明したが、本実施の形態８では、トラヒック調整機構３をインターワーキング機能４の前段に配置し、アプリケーションフロー毎に処理する場合について説明する。
【００４７】
図１１は、本実施の形態８における光加入者線終端装置の構成を示す説明図である。図１１において、３７−１〜３７−ｎはフロー毎に配置されたトラヒック調整器であり、３８−１〜３８−ｎはフロー毎に配置されたキューである。また、３２０はキュー３８−１〜３８−ｎに到着トラヒックをフロー毎に分類するフロー振り分け部である。その他の構成については、上記実施の形態１と同様である。
また図１２は、本実施の形態８におけるユーザから送信されたアプリケーションフローのＴ−ＣＯＮＴバッファまでの流れを示したフローである。実施の形態１（図４）とは、ステップＳ３のトラヒック調整機構３がトラヒック調整を行う順序が異なり、本実施の形態８では、ステップＳ１とステップＳ２の間のステップＳ３０で、トラヒック調整機構３がトラヒック調整を行う。その他の動作については、上記実施の形態１と同様である。
【００４８】
このように、トラヒック調整機構３をインターワーキング機能４の前段に配置し、アプリケーションフロー毎に処理しても、同様の効果を得ることができる。
【００４９】
実施の形態９．
上記実施の形態８では、トラヒック調整機構３をインターワーキング機能４の前段に配置し、アプリケーションフロー毎に処理する場合について説明したが、本実施の形態９では、トラヒック調整機構３をインターワーキング機能４の前段に配置し、複数のアプリケーションフロー毎に処理する場合について説明する。
【００５０】
図１３は、本実施の形態９における光加入者線終端装置の構成を示す説明図である。図１３において、３９−１〜３９−ｎは複数フロー毎に配置されたトラヒック調整器であり、３１０−１〜３１０−ｎは複数フロー毎に配置されたキューである。また、３２１はキュー３８−１〜３８−ｎに到着トラヒックを複数フロー毎に分類する複数フロー振り分け部である。その他の構成及び動作については、上記実施の形態８と同様である。
【００５１】
このように、トラヒック調整機構３をインターワーキング機能４の前段に配置し、複数のアプリケーションフロー毎に処理することにより、フロー毎に配置する場合と比較してトラヒック調整機構３を削減できる。
【００５２】
なお、上記実施の形態１〜９では、ＶＣ単位のみ、ＶＰ単位のみ、Ｔ−ＣＯＮＴ単位のみ、フロー単位のみ、複数フロー単位に処理するトラヒック調整機構３を使用する場合について説明したが、ＯＮＴ１におけるトラヒック調整機構３を上記ＶＣ単位、上記ＶＰ単位、上記Ｔ−ＣＯＮＴ単位のトラヒック調整機構をそれぞれ組み合わせて、またはフロー単位または複数フロー単位のトラヒック調整機構３を組み合わせて配置してもよい。
【００５３】
また、上記実施の形態１〜５では、Ｔ−ＣＯＮＴバッファ制御部２において、タイプ１とタイプ４との組み合わせ、タイプ１とタイプ３とタイプ４との組み合わせ、タイプ１とタイプ２とタイプ４との組み合わせ、タイプ１とタイプ２とタイプ３とタイプ４との組み合わせ、タイプ１とタイプ２とタイプ３とタイプ４とタイプ５との組み合わせについて説明したが、組み合わせはこれに限られず、タイプ１〜５を適宜どのように組み合わせてもよい。
【００５４】
【発明の効果】
以上のように、この発明の光加入者線終端装置によれば、ユーザトラヒックの差別化収容を図ることができるという効果がある。
【図面の簡単な説明】
【図１】  実施の形態１における光加入者線終端装置の構成を示す説明図
【図２】  フローのＱｏＳ及びＣｏＳ識別情報とＴ−ＣＯＮＴバッファとの対応テーブルの対応例を示す説明図
【図３】  各レイヤでの識別情報例を示す説明図
【図４】  ユーザから送信されたアプリケーションフローのＴ−ＣＯＮＴバッファまでの流れを示したフロー
【図５】  実施の形態２におけるＴ−ＣＯＮＴバッファ制御部２の構成を示す説明図
【図６】  実施の形態３におけるＴ−ＣＯＮＴバッファ制御部２の構成を示す説明図
【図７】  実施の形態４におけるＴ−ＣＯＮＴバッファ制御部２の構成を示す説明図
【図８】  実施の形態５におけるＴ−ＣＯＮＴバッファ制御部２の構成を示す説明図
【図９】  実施の形態６における光加入者線終端装置の構成を示す説明図
【図１０】  実施の形態７における光加入者線終端装置の構成を示す説明図
【図１１】  実施の形態８における光加入者線終端装置の構成を示す説明図
【図１２】  実施の形態８におけるユーザから送信されたアプリケーションフローのＴ−ＣＯＮＴバッファまでの流れを示したフロー
【図１３】  実施の形態９における光加入者線終端装置の構成を示す説明図
【図１４】  ＡＰＯＮシステムの構成例を示す説明図
【図１５】  従来のＡＰＯＮシステムの光加入者線終端装置
【符号の説明】
１  ＯＮＴ
２  Ｔ−ＣＯＮＴバッファ制御部
３  トラヒック調整機構
４  インターワーキング機能
５  フロー・Ｔ−ＣＯＮＴ対応マッピングテーブル
６  スイッチ部
７  アプリケーションフロー
２１−１〜２１−５  Ｔ−ＣＯＮＴタイプ毎のバッファ
３１−１〜３１−ｎ、３３−１〜３３−ｎ、３５−１〜３５−ｎ、３７−１〜３７−ｎ、３９−１〜３９−ｎ  トラヒック調整器
３２−１〜３２−ｎ、３４−１〜３４−ｎ、３６−１〜３６−ｎ、３８−１〜３８−ｎ、３１０−１〜３１０−ｎ  キュー
４１  フロー識別機能
４２  対応Ｔ−ＣＯＮＴ検索機能
４３  セル化・デセル化機能
３２０  フロー振り分け部
３２１  複数フロー振り分け部
【図１】
0003994774.tif 000002
【図２】
0003994774.tif 000003
【図３】
0003994774.tif 000004
【図４】
0003994774.tif 000005
【図５】
0003994774.tif 000006
【図６】
0003994774.tif 000007
【図７】
0003994774.tif 000008
【図８】
0003994774.tif 000009
【図９】
0003994774.tif 000010
【図１０】
0003994774.tif 000011
【図１１】
0003994774.tif 000012
【図１２】
0003994774.tif 000013
【図１３】
0003994774.tif 000014
【図１４】
0003994774.tif 000015
【図１５】
0003994774.tif 000016